(57)【要約】      （修正有）【課題】容易にガラス面に直接取り付けることができるとともに、風圧に対してガラス面を確実に補強して、窓ガラスの湾曲や破損を防止できるとともに、使用後の取り外しや窓ガラスの清掃等も容易に行える窓ガラス補強器を低コストで提供する。【解決手段】風圧に対して窓ガラス１２０を補強する窓ガラス補強器であり、所要の長さの補強杆１２と、補強杆１２の長手方向中間位置とその両側に所要の間隔で離隔して取り付けられ、ガラス面Ｇに着脱自在に連結される少なくとも３個以上のガラス面つかみ部１４ａ、１４ｃ、１５と、を含み、ガラス面Ｇに直接取り付けられて窓ガラス１２０を補強する。【選択図】図３
0003118204.tif 000002
【実用新案登録請求の範囲】
【請求項１】
風圧に対して窓ガラスを補強する窓ガラス補強器であり、
所要の長さの補強杆と、
補強杆の長手方向中間位置とその両側に所要の間隔で離隔して取り付けられ、ガラス面に着脱自在に連結される少なくとも３個以上のガラス面つかみ部と、を含むことを特徴とする窓ガラス補強器。
【請求項２】
補強杆は、その長さを伸縮自在に調整可能な長さ調整機構を備えていることを特徴とする請求項１記載の窓ガラス補強器。
【請求項３】
長さ調整機構は、中空外筒と、中空外筒の内部に二重管状に配置された内筒と、を含み、その長さを伸縮自在に調整できることを特徴とする請求項２記載の窓ガラス補強器。
【請求項４】
補強杆の長手方向に沿って移動可能なつかみ部支持装置が設けられ、つかみ部支持装置を介して補強杆の長手方向に沿ってガラス面つかみ部の位置を調整できるようにしたことを特徴とする請求項１ないし３のいずれかに記載の窓ガラス補強器。
【請求項５】
ガラス面つかみ部は、ガラス面に対して吸着離脱自在に吸着する吸盤部材を含むことを特徴とする請求項１ないし４のいずれかに記載の窓ガラス補強器。
【考案の詳細な説明】
【技術分野】
【０００１】
本考案は、台風等の強風時に窓ガラス等のガラス面に直接取り付けられて、風圧からその窓ガラスを補強する窓ガラス補強器に関する。
【背景技術】
【０００２】
従来、台風等の強風時に風圧によって窓ガラスが湾曲し、湾曲に抗しきれずに窓ガラスが破損することが往々にして発生し、また、破損に至らなくても窓ガラスが湾曲することで家人に対して多大な恐怖感を与えていた。そこで、台風の到来する前に、窓ガラスの湾曲を防止するために、例えば、市販の粘着テープをＸ字状に窓ガラスに貼付する等の対策が行われることが一般的である。ところが、粘着テープを剥がすタイミングを逸したりすると、例えば、粘着テープを剥がす際に剥がれ難くなっていたり、また剥がれたとしても粘着剤が窓ガラスにＸ字状に残留して見苦しくなったり、ガラス面の清掃が煩雑になる等の問題があった。これらの問題に対して、例えば、特許文献１に示す提案がなされている。特許文献１によると、添付図面１（特許文献１）に示すように、框材１０の長さ方向の中間部に接続される束材２と、一端が框材１０の端部寄りに接続され、他端が束材２に調整材５を介して接続される２本の斜材３、３からなり、ガラス等の面材に作用する風圧による框材１０の撓みを防止するものである。
【特許文献１】特開平９−４３２９
【考案の開示】
【考案が解決しようとする課題】
【０００３】
しかしながら、特許文献１によれば、サッシの框材１０等に固定して取り付けるものであり、ガラス面に直接取り付けることはできない。したがって、ガラス面の湾曲を直接的に抑制することができず、窓ガラス自体の補強が不十分になるという問題があった。また、特許文献１によれば、束材２ならびに斜材３の一端に設けられた、例えばクランプでサッシの框材１０を把持し、ネジ等により該框材１０に固定して取り付けるものであるため、例えば、サッシの四辺にそれぞれ取り付ける必要がある場合等には、取付け作業が煩雑となって時間がかかるという問題があった。また、特許文献１によれば、束材２は常に両斜材の中央に位置するため、例えば、サッシの対角線状に交差させて配置させようとしても、該束材２どうしが重なってしまうので、対角線状に交差させて配置させることができず、特にガラス面の面積がある程度大きい場合にその補強が不十分になるという問題があった。さらに、特許文献１によれば、添付図面１、３（特許文献１）に示すように、例えば斜材３の両端に設けられた枢支機構や、調整材が束材に沿って移動する機構や、ターンバックル部材等が必要となり、構造が複雑となって部品点数も増加し、製造コストが高くなるという問題があった。
【０００４】
本考案は、上記従来の課題に鑑みてなされたものであり、その目的は、容易にガラス面に直接取り付けることができるとともに、風圧に対してガラス面を確実に補強して、窓ガラスの湾曲や破損を防止することができる窓ガラス補強器を低コストで提供することにある。
【課題を解決するための手段】
【０００５】
上記の目的を達成するために、本考案は、風圧に対して窓ガラスを補強する窓ガラス補強器１０であり、所要の長さの補強杆１２と、補強杆１２の長手方向中間位置とその両側に所要の間隔で離隔して取り付けられ、ガラス面Ｇに着脱自在に連結される少なくとも３個以上のガラス面つかみ部１４、１５と、を含む構成としている。
【０００６】
その際、補強杆１２は、その長さを伸縮自在に調整可能な長さ調整機構１６を備えていてもよいし、長さ調整機構１６は、中空外筒１８と、中空外筒１８の内部に二重管状に配置された内筒２０と、を含み、その長さを伸縮自在に調整できるようにしてもよい。また、補強杆１２の長手方向に沿って移動可能なつかみ部支持装置２２が設けられ、つかみ部支持装置２２を介して補強杆１２の長手方向に沿ってガラス面つかみ部１４の位置を調整できるようにしてもよい。さらに、ガラス面つかみ部１４は、ガラス面Ｇに対して吸着離脱自在に吸着する吸盤部材２４を含んでいてもよい。
【考案の効果】
【０００７】
本考案の窓ガラス補強器によれば、風圧に対して窓ガラスを補強する窓ガラス補強器であり、所要の長さの補強杆と、補強杆の長手方向中間位置とその両側に所要の間隔で離隔して取り付けられ、ガラス面に着脱自在に連結される少なくとも３個以上のガラス面つかみ部と、を含む構成であるから、窓ガラス補強器を該つかみ部を介して容易にガラス面に直接にかつ、着脱自在に取り付けることができるとともに、例えば、補強杆の長さを略ガラス面の幅とし、ガラス面つかみ部をガラス面の幅方向の両端と中央部に配置させた状態で、窓ガラス補強器をガラス面に取り付けることによりガラス面の剛性が高まり、例えば風圧によってガラス面の中央近傍が室内側に向かって出っ張るように撓ませる力が働いても、ガラス面全体で一体的に風圧を受けてガラス面が撓まず、窓ガラスの湾曲や破損を防止することができる。特に、中央部のつかみ部が湾曲しやすいガラス面の中央近傍を直接に支持するので窓ガラスの破損を確実に防止できる。
【０００８】
また、補強杆は、その長さを伸縮自在に調整可能な長さ調整機構を備えている構成であるから、例えば、窓ガラスの幅等の必要に応じて補強杆の長さを調整してガラス面に取り付けることで、窓ガラスの幅が異なっても確実にその湾曲や破損を防止できるとともに、一種類の窓ガラス補強器を種々の幅を有する窓ガラスに対し用いることが可能な利便性の高い窓ガラス補強器を提供できる。
【０００９】
また、長さ調整機構は、中空外筒と、中空外筒の内部に二重管状に配置された内筒と、を含み、その長さを伸縮自在に調整できる構成であるから、例えば、内筒を外筒から引き出すという簡単な操作で補強杆の長さを長くすることができるとともに、簡単な構造で補強杆の長さを調整できる機構を実現化できる。また、特許文献１のように、その長さを調整するための枢支機構、調整材、ターンバックル部材等が不要となり、部品点数を少なくして低コスト化を図ることができる。
【００１０】
また、補強杆の長手方向に沿って移動可能なつかみ部支持装置が設けられ、つかみ部支持装置を介して補強杆の長手方向に沿ってガラス面つかみ部の位置を調整できるようにした構成であるから、例えば補強杆の長さを伸長させた場合等の必要に応じて、つかみ部支持装置を補強杆の長手方向に沿って移動させて該つかみ部の位置を所要の位置となるように容易に調整できるとともに、例えば、同じガラス面上に窓ガラス補強器どうしを交差させた状態でも配置させることができ、例えば窓ガラスの面積がある程度広い場合でも確実にその湾曲や破損を防止できる。
【００１１】
また、ガラス面つかみ部は、ガラス面に対して吸着離脱自在に吸着する吸盤部材を含む構成であるから、例えば、吸盤部材をガラス面に押し付けるという簡単な操作で、容易にガラス面に直接固定して連結させることができるとともに、吸盤部材の吸着を解除するという簡単な操作でガラス面から離脱させることができる窓ガラス補強器を具体化できる。
【考案を実施するための最良の形態】
【００１２】
以下、添付図面を参照しつつ本考案を実施するための最良の形態について説明する。本考案の窓ガラス補強器は、ガラス面に直接にかつ、着脱自在に取り付けることができるとともに、風圧によるガラス面の撓みを抑制して窓ガラスの湾曲や破損を防止できるものである。以下、図１ないし図７に基づいて、本考案の窓ガラス補強器の実施形態について具体的に説明する。本実施形態において、窓ガラス補強器１０は、補強杆１２と、補強杆１２の長手方向中間位置とその両側に所要の間隔で離隔して取り付けられた少なくとも三個以上のガラス面つかみ部１４ａ、１４ｂ、１５と、を含む。
【００１３】
図３は、本実施形態の窓ガラス補強器１０を窓１００に対して設置した例を示しており、窓１００は、例えばアルミニウム型材を接合して長四角形状に組み付けた窓枠１１０と、窓枠に嵌着された窓ガラス１２０とで構成されている。そして、窓枠１１０ではなく窓ガラス１２０にのみ着脱されて窓ガラス補強器１０が取り付けられている。本実施形態において、補強杆１２は、後述するガラス面つかみ部１４ａ、１４ｂ、１５を介して窓ガラス等のガラス面Ｇに取り付けられ、風圧によるガラス面Ｇの撓みを抑制する撓み抑制部であり、中空外筒１８と、内筒２０と、ガラス面つかみ部１４ａ、１４ｂを連結させる連結部２６ａ、２６ｂと、を含む。本実施形態において、中空外筒１８は、図１、２に示すように、例えば一般家屋で用いられている窓サッシの横幅程度の長さで、片手で把持できる程度の大きさの中空円形断面を有する両端が開放した中空円筒杆部材で形成される。また、連結部材２６ａは、中空円筒１８と同じ中空円形断面で、例えば該中空外筒１８の筒径の略２倍の長さを有する中空円筒短尺部材で形成され、図１に示すように、中空外筒１８の一端において中空外筒１８の長手方向に略直角方向に配置され、中空外筒１８と連結部材２６ａとで横Ｌ字状になるように、例えば溶接等で接続されて設けられている。そして、図１に示すように、該連結部２６ａに後述するガラス面つかみ部１４ａを取り付けている。本実施形態において、中空外筒１８ならびに連結部材２６ａはガラス面Ｇの剛性よりもある程度高い剛性を有する、例えばアルミニウム製で形成される。したがって、ガラス面Ｇを撓ませる力がガラス面つかみ部１４ａ、１４ｂ、１５を介して補強杆１２に働いても中空外筒１８が撓むことはなく、ガラス面Ｇを補強できる。中空外筒ならびに連結部材は、本実施形態における中空円筒杆部材に限らず、例えば、断面が長方形の中空角筒杆部材で形成されていてもよいし、アルミニウム製に限らず、例えば、鋼製、ステンレス製、合成樹脂製等であってもよい。
【００１４】
本実施形態において、内筒２０は、図１、２に示すように、上述した中空外筒１８と略同じ長さと材質で、該中空外筒１８の中空内周面に内接する外径を有する両端が開放した中空円筒杆部材で形成される。上述したと中空外筒１８と同様に、その一端に連結部材２６ｂを設けて、内筒２０と連結部材２６ｂとで横Ｌ字状に形成される。そして、図１に示すように、該連結部２６ｂに後述するガラス面つかみ部１４ｂを取り付けている。すなわち、本実施形態において、補強杆１２は、図１、２に示すように、中空外筒１８の内部に内筒２０を内接させて嵌挿し、これらを二重管状に配置させて形成される。内筒は、本実施形態における中空円筒杆部材に限らず、中空外筒の中空内部に内接させて嵌挿できる形状であれば、断面が長方形の中空角筒杆部材で形成されていてもよいし、アルムニウム製に限らず、例えば、鋼製、ステンレス製、合成樹脂製等であってもよい。
【００１５】
なお、本実施形態において、補強杆１２は、その長さを伸縮自在に調整可能な長さ調整機構１６を含む。具体的には、長さ調整機構１６は中空外筒１８と、内筒２０と、を含む。すなわち、上述したように、補強杆１２は、中空外筒１８の内部に内筒２０を内接させて嵌挿し、これらを二重管状に配置させて形成されるので、内筒２０を中空外筒１８の内部から引き出したり、逆に押し込んだりすることでその長さを伸縮自在に調整できる。したがって、例えば、窓ガラスの幅等の必要に応じて補強杆１２の長さを調整してガラス面Ｇに取り付けることができるし、一種類の窓ガラス補強器１０を種々の幅を有する窓ガラスに対し用いることができ、利便性が高まる。また、長さ調整機構１６は、中空外筒１８の内部に二重管状に内筒２０を配置させるという簡単な構造なので、例えば特許文献１に示されていたような部品を省略でき、部品点数を少なくして窓ガラス補強器１０の低コスト化を図ることができる。長さ調整機構は、本実施形態の機構に限らず、例えば二本の長尺部材をレール部材を介して相互にスライドさせつつその長さを伸縮させる機構であってもよい。
【００１６】
本実施形態において、ガラス面つかみ部１４ａ、１４ｂ、１５は、窓ガラス補強器１０を着脱自在にガラス面Ｇに連結させるための連結手段であり、吸盤部材２４をふくむ。具体的には、吸盤部材２４は、ガラス面Ｇに一旦取り付けられれば、上述した補強杆１２をガラス面Ｇに連結固定できる程度の吸着力を有するものであれば、市販されている公知の吸盤部材を用いることができる。そして、該吸盤部材２４は、図１、２に示すように、上述した補強杆１２の両端に設けられた連結部２６ａ、２６ｂならびに、後述する中間位置の連結部材２６ｃに、例えば、公知の緊縛リング部材（図示しない）で連結されて設けられている。したがって、例えば、吸盤部材２４をガラス面Ｇに押し付けるという簡単な操作で、窓ガラス補強器１０を容易にガラス面Ｇに直接固定して連結させることができるとともに、吸盤部材２４の吸着を解除するという簡単な操作でガラス面Ｇから容易に離脱させることができる。なお、本実施形態において吸盤部材２４は、吸着を解除させる公知の吸着解除機構５０を備えており、ガラス面Ｇからの窓ガラス補強器１０の離脱容易化を図っている。
【００１７】
なお、本実施形態において、補強杆１２の長手方向中間位置のガラス面つかみ部１５（以下「中間位置つかみ部１５」という。）は、補強杆１２の長手方向に沿って移動可能なつかみ部支持装置２２を介して補強杆１２に設けられている。本実施形態において、つかみ部支持装置２２は、移動支持部２８を含む。具体的には、移動支持部２８は、図１、２に示すように、所要の長さを有する中空円筒短尺部材で形成され、その中空内側を中空外筒１８に内接挿通されて設けられる。したがって、該移動支持部２８は、該外筒１８の長手方向に沿って自在にスライドさせて移動させることができる。また、図１に示すように、移動支持部２８の側面に、上述した連結部材２６ｂと略同じ長さ・形状の連結部材２６ｃを例えば溶接等で固定して設けられており、該連結部材２６ｃに中間位置つかみ部１５を連結させている。したがって、つかみ部支持装置２２は、補強杆１２の長手方向に沿って移動可能となり、該つかみ部支持装置２２を介して補強杆１２の長手方向に沿って中間位置つかみ部１５の位置を調整できる。以上のように形成することで、図１、２に示すように、例えば、補強杆１２の長さを伸長させた場合には、その伸長後の長さの中央部に位置するように中間位置つかみ部１５を移動させて調整できる。さらに、図５に示すように、例えば、窓ガラス１２０に複数の窓ガラス補強器１０、１０を配置させる場合には、中間位置つかみ部１５どうしが相互に重ならないようにその位置を調整することができる。本実施形態において、中間位置つかみ部は一個で形成されているが、窓ガラスの幅等の必要に応じて、複数個設けてもよい。また、本実施形態において、中間位置つかみ部１５は、補強杆１２の長手方向に沿って移動可能に形成されているが、例えば、図６、７に示すように、補強杆を一本の中空円筒杆部材で形成し、その両端と中央部にガラス面つかみ部を固定して設けて形成してもよい。また、複数のガラス面つかみ部のいずれもが、対応するそれぞれのつかみ部支持装置２２に連結されて形成されていてもよい。
【００１８】
次に、本実施形態の窓ガラス補強器１０の作用について図１ないし図５に基づいて説明する。まず、図１ないし３に示すように、例えば、窓ガラス補強器１０の長さを長方形状の窓ガラス１２０の横幅と略同じ長さに調整する。その際、長さ調整機構１６を介し、外筒１８から内筒２０を引き出したり、逆に押し込んだりするという簡単な操作でその長さを容易に調整できる。また、長さ調整機構１６は、中空外筒１８の内部に二重管状に内筒を配置させるという簡単な構造なので、例えば部品点数を少なくして窓ガラス補強器１０の低コスト化を図ることができる。次に、図１、２に示すように、中間位置つかみ部１５を補強杆１２の長さ方向の中央部に位置させる。その際、つかみ部支持装置２２を補強杆１２の長手方向に沿ってスライドさせることで該中間位置つかみ部１５の位置を容易に調整できる。次に、図３に示すように、窓ガラス補強器１０を該窓ガラス１２０の横辺に平行にした状態で、該窓ガラス縦辺の中央近傍のガラス面Ｇに直接取り付ける。その際、例えば、吸盤部材２４をガラス面Ｇに押し付けるという簡単な操作で、ガラス面つかみ部１４を迅速かつ容易にガラス面Ｇに直接連結させることで、窓ガラス補強器１０を容易にガラス面Ｇに直接取り付けることができる。また、その際に、例えば複数本の窓ガラス補強器１０を窓ガラス１２０の横辺に平行に配置し、該窓ガラス縦辺に沿って所要の間隔を空けた離隔位置にそれぞれ取り付けることもできる。さらには、図５に示すように、たすきがけ状に取り付けることもできる。
【００１９】
次に、図４に基づいてガラス面Ｇの撓み防止の状況を説明する。まず、図４（ａ）に示すように、窓ガラス補強器１０を取り付けない状態では、風圧Ｆによってガラス面Ｇの中央近傍が、例えば室内側に向かって出っ張るように撓む。次に、窓ガラス補強器１０をガラス面Ｇに取り付ければ、窓ガラス１２０の幅方向の両端に配置されたガラス面つかみ部１４ａ、１４ｂと、中央部に配置されたガラス面つかみ部１５を介して、風圧Ｆによるガラス面Ｇを撓ませる力が補強杆１２に伝達されても補強杆１２は撓まない。したがって、ガラス面Ｇ全体の剛性が高まることでガラス面Ｇが撓まず、窓ガラスの湾曲や破損を防止することができる。次に、窓ガラス補強器１０を取り外す。その際、例えば吸盤部材２４の吸着解除機構５０を介して、容易にガラス面Ｇから取り外すことができるとともに、例えば粘着剤等の跡も残らないのでガラス面の清掃も容易になる。
【００２０】
以上のように、本考案の窓ガラス補強器によれば、容易にガラス面に直接取り付けることができるとともに、風圧に対してガラス面を確実に補強して、窓ガラスの湾曲や破損を防止できるとともに、使用後の取り外しや窓ガラスの清掃等の容易化を図れる窓ガラス補強器を低コストで提供できる。
【００２１】
以上説明した本考案の窓ガラス補強器は、上記した実施形態のみに限定されるものではなく、実用新案登録請求の範囲に記載した考案の本質を逸脱しない範囲において、任意の改変を行った場合も本願の権利範囲に含まれる。
【産業上の利用可能性】
【００２２】
本考案の窓ガラス補強器は、一般家庭のみならず、店舗のショーウィンドウ等におけるまで幅広く用いることができる。
【図面の簡単な説明】
【００２３】
【図１】本考案の実施形態に係る窓ガラス補強器の正面図である。
【図２】図１の平面図である。
【図３】本考案の実施形態に係る窓ガラス補強器の使用状態の説明図である。
【図４】本考案の実施形態に係る窓ガラス補強器の効果を説明する図３のＡ−Ａ線断面図である。
【図５】本考案の実施形態に係る他の使用状態の説明図である。
【図６】本考案の実施形態に係る窓ガラス補強器の他の実施例を説明する正面図である。
【図７】図６の平面図である。
【符号の説明】
【００２４】
１０  窓ガラス補強器
１２  補強杆
１４ａ、１４ｂ、１５  ガラス面つかみ部
１６  長さ調整機構
１８  中空外筒
２０  内筒
２２  つかみ部支持装置
２６  吸盤部材
Ｇ  ガラス面
【図１】
0003118204.tif 000003
【図２】
0003118204.tif 000004
【図３】
0003118204.tif 000005
【図４】
0003118204.tif 000006
【図５】
0003118204.tif 000007
【図６】
0003118204.tif 000008
【図７】
0003118204.tif 000009